(57)【要約】【課題】タオル地１の表面全面に精緻な模様を形成可能にすると共に、吸水性を確保する。【解決手段】タオル地１は２重織に織成されている。タオル地１の表面全面はポリエステルフィラメント糸が１００％露出した平織に織成され、裏面全面は綿糸が１００％露出したガーゼ織に織成されている。ポリエステルフィラメント糸のピリングは平織とガーゼ織との間に配設されている。タオル地１の表面の全面には昇華転写プリントにより模様が施されている。【選択図】        図１
2004223215.tif 000002
【特許請求の範囲】
【請求項１】
タオル地の表面の全部に昇華転写プリントが可能に、前記タオル地の表面の全部にポリエステルフィラメント糸を露出させると共に表面を平坦面に形成し、この平坦な表面に昇華転写プリントが施されてなることを特徴とする昇華転写プリントタオル。
【請求項２】
タオル地の表面の一部若しくは全部に昇華転写プリントが可能に、前記タオル地の表面の一部若しくは全部にポリエステルを除く化学繊維よりなるフィラメント糸若しくは複数種の化学繊維を原料とするスパン糸を露出させると共に表面を平坦面に形成し、この平坦な表面に昇華転写プリントが施されてなることを特徴とする昇華転写プリントタオル。
【請求項３】
上記平坦面に対応する裏面部分は、原料に少なくとも綿を有する糸が露出するように形成されてなることを特徴とする請求項１又は２記載の昇華転写プリントタオル。
【発明の詳細な説明】
【０００１】
【発明の属する技術分野】
本発明はタオル地の表面の一部若しくは全部に昇華転写プリントが施されてなる昇華転写プリントタオルに関する。
【０００２】
【従来の技術】
従来、この種のタオルとしてはタオル地表面の一部にのみポリエステルフィラメント（長繊維）糸が露出したフラット面に形成し、裏面は綿糸が１００％露出するようにし、前記フラット面に昇華プリントが施されたものが存在する（例えば、特開２０００−１７８８８６号公報、実用新案登録第３０５９９５０号参照）。このように、タオル地表面の一部にのみポリエステルフィラメント糸よりなるフラット面を形成し、このフラット面に対応する裏面及びタオル地表面のうちフラット面以外の部分は綿糸１００％で構成したのは、タオルの最も重要な機能の一つである吸水性を確保するためである。吸水性確保の観点より、昇華プリント部分はタオル地のうち殆んど使用されない部分、例えばタオル地の端部近傍に幅狭な帯状に形成されているのが現状である。
【０００３】
【発明が解決しようとする課題】
上記従来例は、旧来から存在する捺染によるものと比較して多色で精緻な模様を形成可能という長所があるものの、タオル全表面に対する模様形成部分の占有割合が極めて低く、又、模様形成部位も端部に限られているため視覚に訴える部分が少なく、美観を呈しないという問題点があった。
本発明は上記諸事情に鑑みて創案されたものである。
【０００４】
【課題を解決するための手段】
本願発明のうち請求項１記載の発明は、タオル地の表面の全部に昇華転写プリントが可能に、前記タオル地の表面の全部にポリエステルフィラメント糸を露出させると共に表面を平坦面に形成し、この平坦な表面に昇華転写プリントが施されてなることを特徴とする。
請求項２記載の発明はタオル地の表面の一部若しくは全部に昇華転写プリントが可能に、前記タオル地の表面の一部若しくは全部にポリエステルを除く化学繊維よりなるフィラメント糸若しくは複数種の化学繊維を原料とするスパン糸を露出させると共に表面を平坦面に形成し、この平坦な表面に昇華転写プリントが施されてなることを特徴とする。
請求項３記載の発明は、上記平坦面に対応する裏面部分は、原料に少なくとも綿を有する糸が露出するように形成されてなることを特徴とする。
【０００５】
【発明の実施の形態】
【実施例１】
以下、図を参照にして本発明の実施例について説明する。図１は昇華転写プリントタオルの表面図、図２は裏面図、図３は組織図、図４は断面図である。図１〜図４において、タオル地１の表面全面はポリエステルフィラメント糸が１００％露出した平織に織成され、タオル地１の裏面全面は綿糸が１００％露出したガーゼ織に織成されている。
本実施例のタオル地１を、組織図を示す図３と断面図を示す図４に基いて説明する。ポリエステルフィラメント糸よりなる地経糸２、３にポリエステルフィラメントよりなる緯糸４、５、６、７、８、９、１０、１１、１２を絡ませて平織に織成し、この平織の裏面側には綿糸１００％よりなる地経糸１３、１４に綿糸１００％よりなる緯糸１５、１６、１８、１９、２０、２２とポリエステルフィラメント糸よりなる緯糸６、１０を絡ませてガーゼ織を織成し、表が平織で裏がガーゼ織の２重織りのタオル地１に形成されている。タオル地１の表面全面に用いられるポリエステルフィラメント糸は糸の段階で加熱収縮処理がなされている。加熱収縮処理としては、ポリエステルフィラメント糸を１気圧の環境下で約１５０℃の蒸気中に約４５分間放置するか、若しくは２気圧の環境下で約１３０℃の蒸気中に約４５分間放置すること等が考えられている。この加熱処理によりポリエステルフィラメント糸は予め収縮し、後工程に於ける昇華転写プリントの際の加熱時の収縮を最小限に抑えることができる。タオル地１の裏面全面に用いられる綿糸は、公知の手段により紡績、撚糸、晒、糊付加工、必要に応じて染色加工等がなされている。ポリエステルフィラメント糸により平坦面に形成されているタオル地１の表面に昇華転写プリントを施す。この昇華転写プリントは、まずグラビア印刷若しくはオフセット印刷若しくはインクジェットによる印刷によって転写紙に分散染料を用いて色柄を印刷し、この印刷された転写紙をタオル地１の表面に貼着し、次に約３０秒間約２００℃の熱を加えながらプレス後、転写紙をタオル地１の表面から剥離し、タオル地１の表面に昇華転写プリントによる模様を設けるものである。タオル地１の表面は、ポリエステルフィラメント糸によりフラットな平織りに形成されているので、転写紙に印刷された図柄が鮮明にタオル地１の表面に再現できる。又、裏面は綿糸により織成されているため吸湿性及び吸水性に富み、表面はポリエステルフィラメント糸よりなるため速乾性を有し、極めて機能性が高い。
本実施例の製品について染色堅牢度を試験した。耐光、洗濯、汗、摩擦に対してＩＳＯの定める合格基準をすべて上回る試験結果を得た。
【０００６】
【実施例２】
図１及び図２を参照にして実施例２を説明する。前述の実施例１と異なる点は、タオル地１の表面がナイロン、６６ナイロン、アクリル、ポリウレタン、トリアセテート等のポリエステルを除く化学繊維を原料とするフィラメント糸若しくは少なくとも２種以上の化学繊維を混紡したスパン糸により表面を平坦に織成され、この表面に昇華転写プリントを施されている点である。裏面は綿が１００％が露出されたガーゼ織に織成されている。尚、裏面は綿が１００％の糸で織成されている場合に限定せず、綿と化学繊維との混紡スパン糸で織成されていてもよい。
【０００７】
【実施例３】
図５〜図７に示される実施例について説明する。綿よりなる地経糸２３、２４に綿よりなる緯糸２５、２６、２７、２８、２９、３０、３１、３２、３３を絡ませてタオル地組織を織成し、該タオル地組織に綿よりなるパイル経糸３４は緯糸２６と絡み、緯糸２７、２８を飛んで緯糸２９、３２と絡んでパイル３５、３５を裏面側に出すように織成している。ポリエステルフィラメントよりなる経糸３６は、綿よりなる緯糸２５とポリエステルよりなる緯糸３８に絡ませて、緯糸３７とは交錯せず、緯糸４０と絡み、また、ポリエステルフィラメントよりなる経糸４１は、緯糸３８、４０と交錯せず、緯糸３７、３９と交錯して表面をポリエステルフィラメント糸よりなる平織に、裏面を綿糸よりなるパイル織物に織成している。タオル地１の表面には前述の実施例１と同様に昇華転写プリントが施されている。尚、実施例１及び２ではタオル地１の表面をポリエステルフィラメント糸でガーゼ織、平織にする場合を例に説明したが、朱子織等の平坦な表面を有する組織であればすべてを包含する。
【０００８】
【実施例４】
図８及び図９に示される実施例について説明する。タオル地４２の表面の一部４３は、ポリエステルを除く化学繊維を原料とする糸が１００％露出し平坦になるように形成されている。ポリエステルを除く化学繊維を原料とする糸としては、例えばナイロン、６６ナイロン、トリアセテート、アクリル、ポリウレタン等より選択された一種よりなるフィラメント糸、若しくは２種以上の化学繊維を混紡したスパン糸が含まれる。一部４３は、例えば表面側をポリエステルを除く化学繊維を原料とする糸でガーゼ織、平織、朱子織等の表面が平坦な組織に織成されている。タオル地４２のうち表面の一部４３を除く部分及び裏面は綿糸を少なくとも原料として用いる糸が１００％露出している。一部４３に対応する裏面は、綿糸が１００％露出した朱子織に織成されている。一部４３に対応する裏面は朱子織に限定せず、パイル織、ガーゼ織等の組織であってよい。綿糸を少なくとも原料として用いる糸は、綿が１００％であっても、或は綿と化学繊維との混紡糸であってもよい。一部４３には前述の実施例１と同様に昇華転写プリントが施されている。
【０００９】
【発明の効果】
本発明は２重織にして化学繊維のピリングを表面と裏面との間に配設し、表裏面の美観を損なわないという効果がある。
表面の全部に昇華転写プリントを施すことにより一層美観を呈し、しかも裏面に綿糸を用いることにより吸水性も損なわないという効果を有する。
【図面の簡単な説明】
【図１】昇華転写プリントタオルの表面図である。
【図２】昇華転写プリントタオルの裏面図である。
【図３】組織図である。
【図４】図３の断面図である。
【図５】昇華転写プリントタオルの裏面図である。
【図６】組織図である。
【図７】断面図である。
【図８】昇華転写プリントタオルの表面図である。
【図９】昇華転写プリントタオルの裏面図である。
【符号の説明】
１、４２  タオル地
４３  １部
【図１】
2004223215.tif 000003
【図２】
2004223215.tif 000004
【図３】
2004223215.tif 000005
【図４】
2004223215.tif 000006
【図５】
2004223215.tif 000007
【図６】
2004223215.tif 000008
【図７】
2004223215.tif 000009
【図８】
2004223215.tif 000010
【図９】
2004223215.tif 000011